(57)【要約】【課題】薄型平面表示装置を用いた案内表示器において、利用性、表示性を向上する。【解決手段】本発明の案内表示器は、薄型平面表示装置１と、前記薄型平面表示装置を収め、該薄型平面表示装置の画像表示面を露出させる窓Ｆ２を有した筐体とを備え、前記筐体は、前記窓に対し水平の一方向に隣接して固定表示板Ｆ３を有し、該固定表示板の裏側に前記薄型平面表示装置以外の装置１６の収納部を構成している。また、前記固定表示板の前記一方向の縁部は、前記収納部の前記一方向の側端外面より突出している。【選択図】図３
2008310140.tif 000002
【特許請求の範囲】
【請求項１】
薄型平面表示装置と、
前記薄型平面表示装置を収め、該薄型平面表示装置の画像表示面を露出させる窓を有した筐体とを備え、
前記筐体は、前記窓に対し水平の一方向に隣接して固定表示板を有し、該固定表示板の裏側に前記薄型平面表示装置以外の装置の収納部を構成している案内表示器。
【請求項２】
前記収納部に、前記薄型平面表示装置に電力を出力する装置又は／及び制御情報を出力する装置を収納している請求項１に記載の案内表示器。
【請求項３】
前記固定表示板の前記一方向の縁部は、前記収納部の前記一方向の側端外面より突出している請求項１又は請求項２に記載の案内表示器。
【請求項４】
薄型平面表示装置と、
前記薄型平面表示装置を収め、該薄型平面表示装置の画像表示面を露出させる窓を有した筐体とを備え、
前記筐体は、前記窓に対し水平の一方向に隣接して固定表示板を有し、
前記固定表示板の前記一方向の縁部は、前記筐体の収納部の前記一方向の側端外面より突出している案内表示器。
【請求項５】
前記固定表示板の上縁部は、前記筐体の収納部の上端外面より突出している請求項１から請求項４のうちいずれか一に記載の案内表示器。
【請求項６】
前記固定表示板の下縁部は、前記筐体の収納部の下端外面より突出している請求項１から請求項５のうちいずれか一に記載の案内表示器。
【請求項７】
２つの前記案内表示器が背あわせに配置され、これら２つの案内表示器に付設される２つの前記固定表示板が、一定の観察点にとって前記窓の同側に配置されてなる請求項１から請求項６のうちいずれか一に記載の案内表示器。
【発明の詳細な説明】
【技術分野】
【０００１】
本発明は、案内表示器に関する。
【背景技術】
【０００２】
近時、液晶表示装置、プラズマ表示装置等の薄型平面表示装置の大型化、低廉化に伴い、鉄道向け案内表示器としても従来のＬＥＤ表示装置に代え薄型平面表示装置を用いた案内表示器の実用化が進められつつある。
図５に示すように、薄型平面表示装置を用いた２つの案内表示器１０１，１０２が背合せに連結されて吊下げ設置される場合がある。
汎用の薄型平面表示装置は屋内用を想定して構成されているため、これを用いた案内表示器１０１，１０２を駅プラットホーム等の半野外等に設置する場合、案内表示器１０１，１０２は、防塵防滴等のための筐体内に汎用の薄型平面表示装置を収めた構成を有する。
【発明の開示】
【発明が解決しようとする課題】
【０００３】
一般に、駅の案内表示器に利用されるＬＥＤ表示装置などの可変表示装置には、発列車情報が表示される。発列車情報は、時刻によって変遷するからである。特定の番線のプラットホームに、発列車情報表示用の可変表示装置が専用として設置されている場合が増えている。番線情報やその番線の方面情報は不変であるので、従来よりプラットホームに固定表示板などにより表示されている。
プラットホーム以外のコンコースなどに発列車情報表示用の可変表示装置を設置する場合、その設置場所により番線は特定されないため、番線表示と一体に表示することが必須である。
ところで、ＬＥＤ表示器では、既に帯状の表示画面を有したものが多用されている。これに対し、既製品として大画面の液晶やプラズマ等の薄型平面表示装置は１６：９程度のものが主流である。吊下げ設置の案内表示器の下端は高さ制限されるので、大画面の薄型平面表示装置を選択するにも設置場所に応じて限界がある。
従来のＬＥＤ表示器等を用いた案内表示器に代えて、図５に示すような薄型平面表示装置を用いた案内表示器を設置していく場合、従来のＬＥＤ表示器を用いた案内表示器に対して、水平方向の空間利用率が減少する。
同案内表示器を、プラットホーム又はプラットホーム以外のコンコースなどに設置した場合、番線情報や方面情報とどのように一体的に見やすく表示するかは、開発の余地がある。
【０００４】
本発明は以上の従来技術における問題に鑑みてなされたものであって、薄型平面表示装置を用いた案内表示器において、利用性、表示性を向上することを課題とする。
【課題を解決するための手段】
【０００５】
以上の課題を解決するための請求項１記載の発明は、薄型平面表示装置と、
前記薄型平面表示装置を収め、該薄型平面表示装置の画像表示面を露出させる窓を有した筐体とを備え、
前記筐体は、前記窓に対し水平の一方向に隣接して固定表示板を有し、該固定表示板の裏側に前記薄型平面表示装置以外の装置の収納部を構成している案内表示器である。
【０００６】
請求項２記載の発明は、前記収納部に、前記薄型平面表示装置に電力を出力する装置又は／及び制御情報を出力する装置を収納している請求項１に記載の案内表示器である。
【０００７】
請求項３記載の発明は、前記固定表示板の前記一方向の縁部は、前記収納部の前記一方向の側端外面より突出している請求項１又は請求項２に記載の案内表示器である。
【０００８】
請求項４記載の発明は、薄型平面表示装置と、
前記薄型平面表示装置を収め、該薄型平面表示装置の画像表示面を露出させる窓を有した筐体とを備え、
前記筐体は、前記窓に対し水平の一方向に隣接して固定表示板を有し、
前記固定表示板の前記一方向の縁部は、前記筐体の収納部の前記一方向の側端外面より突出している案内表示器である。
【０００９】
請求項５記載の発明は、前記固定表示板の上縁部は、前記筐体の収納部の上端外面より突出している請求項１から請求項４のうちいずれか一に記載の案内表示器である。
【００１０】
請求項６記載の発明は、前記固定表示板の下縁部は、前記筐体の収納部の下端外面より突出している請求項１から請求項５のうちいずれか一に記載の案内表示器である。
【００１１】
請求項７記載の発明は、２つの前記案内表示器が背あわせに配置され、これら２つの案内表示器に付設される２つの前記固定表示板が、一定の観察点にとって前記窓の同側に配置されてなる請求項１から請求項６のうちいずれか一に記載の案内表示器である。
【発明の効果】
【００１２】
本発明によれば、水平方向の空間利用率が改善され、可変表示面に対し水平の一方向に隣接して固定表示面を大きく形成することができ、固定表示情報を可変表示情報と一体的に見やすく表示でき、薄型平面表示装置を用いた案内表示器の利用性、表示性を向上することができるという効果がある。
【発明を実施するための最良の形態】
【００１３】
以下に本発明の一実施形態につき図面を参照して説明する。以下は本発明の一実施形態であって本発明を限定するものではない。
【００１４】
本発明の一実施形態に係る案内表示器の吊下状態を示す斜視図を図１に、平面図を図２に、正面図を図３に、側面図を図４に示す。
【００１５】
図１〜図４に示すように、本実施形態に係る案内表示器は、２つの案内表示器を背合せに連結して吊下げ状態に設置される形態のものである。本実施形態に係る案内表示器は、液晶表示装置等の薄型平面表示装置（フラットパネルディスプレイ：以下「ＦＰＤ」という。）１ａ，１ｂと、前側筐体部品２ａ，２ｂと、後側筐体部品３ａ，３ｂと、背面取付フレーム４ａ，４ｂとを備えて構成され、アングル調整連結具５ａ，５ｂと、吊下連結具６と、吊下支柱８，８とを介して吊下げ設置される。
【００１６】
吊下連結具６は吊下支柱８，８の下端に連結固定されている。吊下連結具６の両側に、アングル調整連結具５ａ，５ｂが防振ゴム１０を介して連結されている。なお、吊下連結具６にはサイドカバー１３が取付可能となっている。サイドカバー１３によって配線等を隠し美観を高めることができる。設置やメンテナンスの作業時にはサイドカバー１３を取り外しておくことができる。
【００１７】
アングル調整連結具５ａ，５ｂに背面取付フレーム４ａ，４ｂが連結固定されている。
背面取付フレーム４ａ，４ｂの周縁部に後側筐体部品３ａ，３ｂの後面に形成された開口が合されて背面取付フレーム４ａ，４ｂに後側筐体部品３ａ，３ｂがネジ止めにより固定されている。
背面取付フレーム４ａ，４ｂには、ＦＰＤ１ａ，１ｂ及びＦＰＤ１ａ，１ｂに電力を出力する電源装置、制御情報を出力する通信装置（中継器）等の案内表示に必要な装置１６ａ，１６ｂが固定されている。
蓋をするようにして、後側筐体部品３ａ，３ｂに前側筐体部品２ａ，２ｂが連結されている。図４に示すように、前側筐体部品２ａ，２ｂは蝶番Ｃを介して後側筐体部品３ａ，３ｂに対して開閉自在に連結されている
【００１８】
本案内表示器の筐体は、前側筐体部品２、後側筐体部品３及び背面取付フレーム４の３パーツによって構成されている。
後側筐体部品３の後面には、背面取付フレーム４の周縁部に合わされる開口Ｈが形成されている。後側筐体部品３の開口Ｈの縁部には背面取付フレーム４へのネジ止めのための孔を有した部分が設けられている。
後側筐体部品３は、筐体後面部材Ｂの外周縁に連続して、筐体の上下面及び両側面を構成する部材Ａ１〜Ａ４を一体に形成している。
【００１９】
前側筐体部品２には、筐体の前面を構成する筐体前面部材Ｆと、上下面及び両側面を構成する部材Ｄ１〜Ｄ４とが構成されている。筐体前面部材Ｆは案内表示面を構成する。前側筐体部品２の上下左右面Ｄ１〜Ｄ４は、後側筐体部品３の上下左右面Ａ１〜Ａ４より外側に配置されており、前側筐体部品２の縦横寸法は、後側筐体部品３のそれより大きくされている。これにより、前側筐体部品２及び後側筐体部品３によって構成される上下左右面は段差を有した構造に構成される。特に、利用者の目に入りやすい下面及び左右面に大きく段差が形成される。筐体の下面及び左右面に前側を大きくする段差が形成されていることによって、より薄型に感じられるという視覚的効果を奏することができる。
また、後側筐体部品３より、前側筐体部品２の縦横寸法を大きくすることによって、筐体前面部材Ｆの表面、すなわち、案内表示面を大きくすることができる。
【００２０】
図３に示すように、筐体前面部材Ｆには、表示窓構成部Ｆ１が構成されている。表示窓構成部Ｆ１には表示窓Ｆ２が構成されている。表示窓Ｆ２は、透明樹脂板等の透明部材により構成され、ＦＰＤ１の画像表示面を露出させており、表示窓Ｆ２のほぼ全面が可変表示領域となっている。
また、筐体前面部材Ｆには、固定表示板Ｆ３が構成されている。固定表示板Ｆ３は、表示窓Ｆ１に対し水平の一方向（図３において右方向）に隣接して配置されている。
本筐体は、図２に示すように固定表示板Ｆ３の裏側にＦＰＤ１以外の装置１６の収納部を構成している。そのため、固定表示板Ｆ３を大きく構成することができており、また、固定表示板Ｆ３を大きく構成してもその裏面側の空間を有効利用することができている。
【００２１】
図２に示すように、固定表示板Ｆ３の前記一方向の縁部は、装置１６収納部の側端外面Ａ３より突出長さｅ１だけ突出している。これにより固定表示板Ｆ３をさらに大きく構成することができる。本構成は、固定表示板Ｆ３の裏面にＦＰＤ１以外の装置１６の収納部を設けない場合にも、有効である。突出長さｅ１を大きくすることによって固定表示板Ｆ３をさらに水平方向に大きく構成することができる。
【００２２】
図４に示すように、固定表示板Ｆ３の上縁部は、本筐体の収納部の上端外面Ｄ１より突出長さｅ２だけ突出している。これにより固定表示板Ｆ３を垂直方向に大きく構成することができる。
【００２３】
同じく図４に示すように、固定表示板Ｆ３の下縁部は、本筐体の収納部の下端外面Ｄ２より突出長さｅ３だけ突出している。これにより固定表示板Ｆ３をさらに垂直方向に大きく構成することができる。
【００２４】
上述したように、本実施形態に係る案内表示器は、２つの案内表示器を背合せに連結して吊下げ状態に設置される形態のものである。
図３に示すように、固定表示板Ｆ３には、番線情報、方面情報が表示される。表示窓Ｆ２の可変表示領域にはＦＰＤ１により、当該番線の発列車情報が表示される。
固定表示板Ｆ３上の表示はインク、塗料その他の色材により固定されたものであるので、故障等によりＦＰＤ１が表示不能となった場合にも、番線情報、方面情報は固定表示板Ｆ３に表示され続ける。
【００２５】
図２に示すように、ＦＰＤ１ａを備えた一方の案内表示器においては、その表示面を正面にした観察者にとって、同案内表示器の固定表示板Ｆ３ａは、表示窓Ｆ２の右側に配置されている。逆側のＦＰＤ１ｂを備えた案内表示器においては、その表示面を正面にした観察者にとって、同案内表示器の固定表示板Ｆ３ｂは、表示窓Ｆ２の左側に配置されている。
すなわち、２つの固定表示板Ｆ３ａ,Ｆ３ｂは、一定の観察点にとって表示窓Ｆ２の同側に配置されている。かかる構成は、駅プラットホームへの設置に適したものである。表裏の固定表示板Ｆ３ａ,Ｆ３ｂをともに線路側に配置することによって、表示の必要性の高い番線情報、方面情報を駅プラットホームの各所から見やすい位置に配置することができる。
【００２６】
また、筐体前面部材Ｆには、装飾板Ｆ４が構成されている。装飾板Ｆ４は、固定表示板Ｆ３の逆側端部に配置されている。装飾板Ｆ４は、固定表示板Ｆ３の背景色と同色にされ、厚さ及び縁部の突出長さが同じにされており、本筐体の両端部が対称的統一をもって構成されている。
固定表示板Ｆ３の逆端部に、固定表示板Ｆ３と装飾的に同質の装飾板Ｆ４を配置することによって、案内表示面全体の一体性、独立性を表示することができる。固定表示板Ｆ３の背景色及び装飾板Ｆ４の色彩の異なるものに変更することによって、案内表示器を容易に個性化し、識別性を高めることができる。
固定表示板Ｆ３及び装飾板Ｆ４は、前側筐体部品２の他の部分に対して取り付けられる板部品である。固定表示板Ｆ３及び装飾板Ｆ４を多種のものから選択して取り付けることができる。また、表示窓Ｆ２の両側に固定表示板を配置することも可能であり、本発明は、左右両方に同構成を有したものを排除するものではない。
以上の実施形態においては、片側の案内表示装置に１つのＦＰＤを用いたが、本発明はこれに限定されるものではなく、固定表示板に隣接して水平方向に複数台のＦＰＤを並べた構成としてもよい。これにより、さらに横長の案内表示器を構成することができる。この場合、例えば、案内表示面の両端に固定表示板Ｆ３と装飾板Ｆ４とがそれぞれ配置され、組み込まれる複数台のＦＰＤを固定表示板Ｆ３と装飾板Ｆ４とで挟んだ配置とされた案内表示器も有効である。かかる構成においても、装飾板Ｆ４を固定表示板に代えてもよい。
【図面の簡単な説明】
【００２７】
【図１】本発明の一実施形態に係る案内表示器の吊下状態を示す斜視図である。
【図２】本発明の一実施形態に係る案内表示器の吊下状態を示す平面図である。
【図３】本発明の一実施形態に係る案内表示器の吊下状態を示す正面図である。
【図４】本発明の一実施形態に係る案内表示器の吊下状態を示す側面図である。
【図５】従来例に係る案内表示器の吊下状態を示す斜視図である。
【符号の説明】
【００２８】
１ａ，１ｂ  ＦＰＤ
２ａ，２ｂ    前側筐体部品
３ａ，３ｂ    後側筐体部品
４ａ，４ｂ    背面取付フレーム
５ａ，５ｂ    アングル調整連結具
６     吊下連結具
【図１】
2008310140.tif 000003
【図２】
2008310140.tif 000004
【図３】
2008310140.tif 000005
【図４】
2008310140.tif 000006
【図５】
2008310140.tif 000007